(57)【要約】【課題】飲料用ボトル等のボトルを保持可能としたウエストポーチを提供する。【解決手段】両側から第１連結帯部(6,6)を介して一対のベルト(2,2)を延設した外側構成体(1)に対して、内側面に腰当部(8)を形成し、外側面に上方からボトルを挿入自在とするポケット(9)を設け、両側に第２連結帯部(10,10)を延設したパッド(7)を配設している。前記パッド(7)は、ポケット(9)を外側構成体(1)の内側面に対向させ、第２連結帯部(10)の延長端(10b)を第１連結帯部(6)の所定固着個所(6a)に固着することにより、所定固着個所(6a)から外側構成体(1)とパッド(7)に向けて第１連結帯部(6)と第２連結帯部(10)をＶ形に配置している。ベルト(2,2)をユーザの腰部に巻回したとき、腰部に沿わせられた第２連結帯部(10)が所定固着個所(6a)を腰部に向けて引き寄せることにより第１連結帯部(6)を緊張し、外側構成体(1)をポケット(9)に押圧させる。【選択図】図１
2014090950.tif 000002
【特許請求の範囲】
【請求項１】
外側構成体(1)の両側から第１連結帯部(6,6)を介して一対のベルト(2,2)を延設し、該ベルトの自由端に相互に着脱自在な係止具(3,3)を設けたウエストポーチにおいて、
内側面に腰当部(8)を形成し、外側面に上方からボトルを挿入自在とするポケット(9)を設け、両側に第２連結帯部(10,10)を延設したパッド(7)を配設し、
前記パッド(7)は、前記ポケット(9)を前記外側構成体(1)の内側面に対向させると共に、第２連結帯部(10)の延長端(10b)を前記第１連結帯部(6)の所定固着個所(6a)に固着することにより、該所定固着個所(6a)から前記外側構成体(1)とパッド(7)に向けて第１連結帯部(6)と第２連結帯部(10)をＶ形に配置しており、
前記パッド(7)と共に一対のベルト(2,2)をユーザの腰部に巻回したとき、腰部に沿わせられた前記第２連結帯部(10)が前記所定固着個所(6a)を腰部に向けて引き寄せることにより第１連結帯部(6)を緊張し、前記外側構成体(1)をポケット(9)に押圧させるように構成して成ることを特徴とするボトル保持用ウエストポーチ。
【請求項２】
外側構成体(1)の両側から第１連結帯部(6,6)を介して一対のベルト(2,2)を延設し、該ベルトの自由端に相互に着脱自在な係止具(3,3)を設けたウエストポーチにおいて、
内側面に腰当部(8)を形成し、外側面に上方からボトルを挿入自在とするポケット(9)を設け、両側に第２連結帯部(6,6)を延設したパッド(7)を配設し、少なくとも一方の第２連結帯部(6)を弾性伸縮体(13)により構成し、
前記パッド(7)は、前記ポケット(9)を前記外側構成体(1)の内側面に遊隙(S)を介して対向させると共に、前記遊隙(S)を形成するように弛ませた第１連結帯部(6)の所定固着個所(6a)に前記第２連結帯部(10)の延長端(10b)を固着することにより、該所定固着個所(6b)から前記外側構成体(1)とパッド(7)に向けて第１連結帯部(6)と第２連結帯部(10)をＶ形に配置しており、
前記パッド(7)と共に一対のベルト(2,2)をユーザの腰部に巻回したとき、前記弾性伸縮体(13)により構成した第２連結帯部(10)が伸長し、前記延長端(6b)に固着した前記所定固着個所(6a)をベルトの巻回方向に移動させることにより第１連結帯部(6)を緊張し、前記外側構成体(1)をポケット(9)に押圧させるように構成して成ることを特徴とするボトル保持用ウエストポーチ。
【請求項３】
前記外側構成体(1)は、小物入れバッグ(1a)を構成して成ることを特徴とする請求項１又は２に記載のボトル保持用ウエストポーチ。
【発明の詳細な説明】
【技術分野】
【０００１】
本発明は、飲料用ボトル等のボトルを保持可能としたウエストポーチに関する。
【背景技術】
【０００２】
周知のように、小物入れバッグを備えたウエストポーチは、ユーザが野外で活動する際に、腰部に装着できるので便利である。
【０００３】
ところで、例えば、ウォーキングやサイクリング等の野外活動に際しては、水分補給等のための飲料ボトルを携行するニーズがあり、このため、ボトル保持用ポケットを設けたリュックサックが提供されている。
【０００４】
従って、野外活動用のウエストポーチにおいても、リュックサックと同様に、ボトル保持用ポケットを設けることが望ましい。
【先行技術文献】
【特許文献】
【０００５】
【特許文献１】実用新案登録第３１６９２３８号公報
【発明の概要】
【発明が解決しようとする課題】
【０００６】
特許文献１は、介護従事者が消毒用ボトル等を携行するためのポケットを設けたウエストポーチを提案している。
【０００７】
しかしながら、野外活動用のウエストポーチは、ユーザの身体運動により激しく上下に揺動するため、ポケットを単純な構成とする場合は、ボトルが跳び出してしまうという問題がある。そこで、特許文献１のようにポケットを伸縮ネットにより形成すれば、ボトルを弾性的に保持できるが、ボトルは、飲料液体が充填された状態で相当の重量があるから、激しく揺動するボトルを伸縮ネットだけで確実に保持することは困難である。
【０００８】
ところで、野外活動用のウエストポーチは、特許文献１の介護従事者用のウエストポーチとは異なり、小銭入れ等の小物入れバッグが必要とされるので、該バッグとポケットの配置構成に関して重要な課題がある。この際、ポケットは、ボトルを挿入保持できる大きさにする必要があるから、例えば、ウエストポーチの小物入れバッグにポケットを添設することは、該小物入れバッグの収納容量を犠牲にするので好ましくない。
【課題を解決するための手段】
【０００９】
本発明は、上記課題を解決したボトル保持用ウエストポーチを提供するものであり、その手段として構成したところは、外側構成体の両側から第１連結帯部を介して一対のベルトを延設し、該ベルトの自由端に相互に着脱自在な係止具を設けたウエストポーチにおいて、内側面に腰当部を形成し、外側面に上方からボトルを挿入自在とするポケットを設け、両側に第２連結帯部を延設したパッドを配設し、前記パッドは、前記ポケットを前記外側構成体の内側面に対向させると共に、第２連結帯部の延長端を前記第１連結帯部の所定固着個所に固着することにより、該所定固着個所から前記外側構成体とパッドに向けて第１連結帯部と第２連結帯部をＶ形に配置しており、前記パッドと共に一対のベルトをユーザの腰部に巻回したとき、腰部に沿わせられた前記第２連結帯部が前記所定固着個所を腰部に向けて引き寄せることにより第１連結帯部を緊張し、前記外側構成体をポケットに押圧させるように構成して成る点にある。
【００１０】
この際、本発明が好ましい手段として構成したところは、外側構成体の両側から第１連結帯部を介して一対のベルトを延設し、該ベルトの自由端に相互に着脱自在な係止具を設けたウエストポーチにおいて、内側面に腰当部を形成し、外側面に上方からボトルを挿入自在とするポケットを設け、両側に第２連結帯部を延設したパッドを配設し、少なくとも一方の第２連結帯部を弾性伸縮体により構成し、前記パッドは、前記ポケットを前記外側構成体の内側面に遊隙を介して対向させると共に、前記遊隙を形成するように弛ませた第１連結帯部の所定固着個所に前記第２連結帯部の延長端を固着することにより、該所定固着個所から前記外側構成体とパッドに向けて第１連結帯部と第２連結帯部をＶ形に配置しており、前記パッドと共に一対のベルトをユーザの腰部に巻回したとき、前記弾性伸縮体により構成した第２連結帯部が伸長し、前記延長端に固着された前記所定固着個所をベルトの巻回方向に移動させることにより第１連結帯部を緊張し、前記外側構成体をポケットに押圧させるように構成して成る点にある。
【００１１】
本発明の実施形態において、前記外側構成体は、小銭入れ等の小物入れバッグを構成している。
【発明の効果】
【００１２】
請求項１に記載の本発明によれば、ユーザの腰部にベルト２、２を巻回することによりウエストポーチを装着すると共に、ポケット９にボトルＢを挿入した状態において、ベルト２と共に第２連結帯部１０が腰部に沿うことにより、第１連結帯部６の所定固着個所６ａを腰部に向けて引き寄せ、該第１連結帯部６を緊張するので、外側構成体１をポケット９に押圧させることができ、これにより、パッド７と外側構成体１の間にボトルＢを挟持する。従って、ユーザの身体運動により、液体飲料を充填した重いボトルＢが激しく上下に揺動しようとする場合でも、該ボトルＢがポケット９から跳び出すことはない。
【００１３】
請求項２に記載の本発明によれば、ウエストポーチは、非装着時には、弾性伸縮体１３により構成された第２連結帯部１０が収縮することにより第１連結帯部６を弛ませ、外側構成体１とパッド７のポケット９との間に遊隙Ｓを形成するように構成されているので、この状態からベルト２、２をユーザの腰部に巻回した装着時には、第１連結帯部６が弛みのない程度に緊張され（つまり過度に緊張されず）、これにより、外側構成体１をポケット９に適度に押圧させるので、ポケット９を押しつぶすことはなく、ボトルＢの挿脱作業を容易とする。
【００１４】
そして、装着時において、ベルト２、２の締め付けにより第２連結帯部１０を腰部に沿って緊張させると、弾性伸縮体１３により構成した第２連結帯部１０が伸長し、第１連結帯部６の所定固着個所６ａをベルトの巻回方向、つまり、ベルトの締め付け方向に移動させ、これにより、第１連結帯部６と共に外側構成体１をポケット９に向けて強く引き寄せるので、外側構成体１のポケット９に対する押圧力が増し、パッド７と外側構成体１によるボトルＢの挟持力が向上する。
【００１５】
しかも、伸長させられた弾性伸縮体１３は、収縮力を蓄積しているので、ユーザの腰部に対するベルト２、２のフィット性が良く、腰部からのズレ下がりを防止する。
【００１６】
請求項３に記載の本発明によれば、外側構成体１は、ボトルＢの押さえ手段を構成する他、ウエストポーチの最外側に位置する小物入れバッグ１ａを構成するので、小銭等の小物を好適に出し入れ可能とし、しかも、外側構成体１に犠牲を強いることなく、その全体を小物入れバッグ１ａとして利用することができる。
【図面の簡単な説明】
【００１７】
【図１】本発明の１実施形態を示す斜視図である。
【図２】本発明の１実施形態を示し、（Ａ）は正面図、（Ｂ）は平面図である。
【図３】本発明の１実施形態の作用を示す平面図である。
【発明を実施するための形態】
【００１８】
以下図面に基づいて本発明の好ましい実施形態を詳述する。
【００１９】
図１及び図２に示すように、ウエストポーチは、小銭入れ等の小物入れバッグ１ａを構成する外側構成体１の左右両側から一対のベルト２、２を延設し、該ベルト２、２の自由端に相互に着脱自在な雄係止具３ａと雌係止具３ｂから成る係止具３、３を設けている。従って、公知のウエストポーチと同様に、ベルト２、２をユーザの腰部に巻回すると共に前記係止具３、３を係止することにより、小物入れバッグ１ａを備えたウエストポーチが腰部に装着される。このため、本明細書の用語に関して、ウエストポーチの「内側」はユーザの腰部に対面する側を意味し、「外側」はその反対側を意味する。尚、ベルト２の自由端は、係止具３に挿通された状態で折返され、該折返部により伸縮調節手段２ａを構成し、ベルト２、２がユーザの腰部に密着するように長さ調節可能とされている。
【００２０】
前記外側構成体１は、小物入れバッグ１ａを形成するように、布製等の袋体により構成されており、該袋体の開口部を開閉自在とするジッパー４を設け、該袋体の左右両端に固着帯片５、５を逢着している。
【００２１】
前記ベルト２、２は、前記固着帯片５に対して第１連結帯部６、６を介して固着されている。図示実施形態の場合、第１連結帯部６、６は、それぞれ１本とされたベルト２、２の所定長さとされた基端部により構成されている。しかしながら、別体の帯片をベルト２に逢着等で固着することにより第１連結帯部６、６を構成しても良い。
【００２２】
前記外側構成体１の内側には、所定形状とされた可撓性を有するパッド７が配置されている。該パッド７は、好ましくはスポンジシート等の柔軟シートを内外両側から織物生地で挟持し逢着することにより構成され、該パッド７の内側面に腰当部８を形成している。そして、該パッド７の外側面には上方からペットボトルその他のボトルＢを挿入自在とするポケット９が設けられ、該パッド７の左右両側には第２連結帯部１０、１０が延設されている。
【００２３】
前記ポケット９は、上部を開口する有底の筒体を構成し、図例の場合、断面ほぼＵ形に折曲された織物生地の両側縁をパッド７に逢着し、該Ｕ形織物生地の下端部に底部材を逢着することにより形成されている。
【００２４】
図示実施形態の場合、パッド７の外側面からポケット９の開口部に臨んで、ループ状の弾性的に伸縮自在なゴム紐から成る係着コード１１が延設され、係着コード１１に押釦式のコードストッパー１２を設けている。従って、ポケット９にボトルＢを挿入した状態で、前記係着コード１１をボトルＢの首部に掛け廻し、前記コードストッパー１２で係着コード１１を絞ることにより、ボトルＢを取出し不能にロックすることが可能である。しかしながら、本発明において、このような係着コード１１は、必ずしも必要ではない。
【００２５】
前記第２連結帯部１０、１０は、弾性的に伸縮自在な弾性伸縮体１３により構成され、例えば、ゴム糸を織込んだ帯状布により形成されており、パッド７の両側に逢着された基端部１０ａから延長端１０ｂまで延び、該延長端１０ｂをベルト２の所定固着個所６ａの内側に重ね合わせた状態で逢着している。従って、第１連結帯部６をベルト２に一体に形成した図示実施形態の場合、前記所定固着個所６ａと外側構成体１の固着帯片５の間に位置するベルト２の部分が上記第１連結帯部６とされている。
【００２６】
上記構成とされたパッド７は、図１及び図２（Ｂ）に示すように、前記ポケット９を外側構成体１の内側面に遊隙Ｓを介して対向させ、前記遊隙Ｓを形成するように前記第１連結帯部６、６を弛ませた状態で、前記第２連結帯部１０、１０の延長端１０ａ、１０ａを前記第１連結帯部６、６の所定固着個所６ａに固着している。これにより、第１連結帯部６と第２連結帯部１０は、所定固着個所６ａから外側構成体１とパッド７に向けてＶ形となるように配置されている。
【００２７】
そこで、ユーザの腰部にベルト２、２を巻回することによりウエストポーチを装着すると共に、ポケット９にボトルＢを挿入すると、図３に示すように、第２連結帯部１０、１０は、腰部に沿うように湾曲させられ、ベルト２、２の巻回方向、つまり、ベルト２、２の締め付け方向Ｆ１に引っ張られることにより腰部に向けて引き寄せられる。これに伴い、第１連結帯部６も所定固着個所６ａが腰部に向けて引き寄せられることにより緊張し、図示矢印Ｆ２で示すように、外側構成体１をポケット９に押圧させる（請求項１）。これにより、ポケット９に挿入されたボトルＢは、パッド７と外側構成体１により挟持されるので、ユーザの身体運動により、液体飲料を充填した重いボトルＢが激しく上下に揺動しようとする場合でも、該ボトルＢがポケット９から跳び出すことはない。このような作用は、第２連結帯部１０、１０を弾性伸縮体１３により構成せず、伸縮不能に構成している場合でも、所定固着個所６ａから外側構成体１とパッド７に向けてＶ形に配置された第１連結帯部６と第２連結帯部１０がＶ形を閉じる方向のテンションを受けることにより可能となる。
【００２８】
図示実施形態のように構成したウエストポーチ（請求項２）は、非装着時には、弾性伸縮体１３により構成された第２連結帯部１０が収縮することにより第１連結帯部６を弛ませ、外側構成体１とパッド７のポケット９との間に遊隙Ｓを形成するように構成されているので、この状態からベルト２、２をユーザの腰部に巻回した装着時には、第１連結帯部６が弛みのない程度に緊張され（つまり過度に緊張されず）、これにより、外側構成体１をポケット９に適度に押圧させるので、ポケット９を押しつぶすことはなく、ボトルＢの挿脱作業を容易とする。
【００２９】
そこで、装着時において、ベルト２、２の締め付けにより第２連結帯部１０を腰部に沿って緊張させると、弾性伸縮体１３により構成した第２連結帯部１０が伸長し、基端部１０ａと延長端１０ｂの間の距離Ｌを広げ、伸長する延長端１０ｂにより第１連結帯部６の所定固着個所６ａがベルト２、２の締め付け方向Ｆ１に移動することを許す。これにより、第１連結帯部６が大きく引き寄せられ、その結果、外側構成体１による矢印Ｆ２の方向の押圧力が高くなり、パッド７と外側構成体１によるボトルＢの挟持も強力となる。
【００３０】
しかも、このような装着状態において、第２連結帯部１０、１０を構成する弾性伸縮体１３は、収縮力を蓄積しているので、ユーザの腰部に対するベルト２、２のフィット性が良好となり、腰部からのズレ下がりを防止する。
【００３１】
尚、ボトルＢをポケット９から抜き取ると、外側構成体１が更に図示矢印Ｆ２の方向に動くことにより第１連結帯部６、６の緊張が解かれる。そこで、再びボトルＢをポケット９に挿入するときは、外側構成体１をポケット９から離間する方向に押し広げながらポケット９に押し込めば良い。
【００３２】
上述のように、外側構成体１は、ボトルＢの押さえ手段を構成する他、ウエストポーチの最外側に位置する小物入れバッグ１ａを構成しているので、小銭等の小物を好適に出し入れすることができ、しかも、外側構成体１に犠牲を強いることなく、その全体を小物入れバッグ１ａとして利用することができる。
【００３３】
本発明が図示実施形態に限定されないことは勿論であり、例えば、図面には左右の第２連結帯部１０、１０を弾性伸縮体１３により形成した例を示しているが、何れか一方の第２連結帯部１０だけを弾性伸縮体１３により形成し、他方は伸縮不能な帯材により形成しても良い。
【００３４】
また、本発明は、種々の設計変更が可能であり、例えば、第１連結帯部６、６を前記弾性伸縮体１３と同様の素材により弾性的に伸縮自在に形成しても良く、或いは、第１連結帯部６、６に長さ調節手段を設けても良い。
【符号の説明】
【００３５】
Ｂ  ボトル
Ｓ  遊隙
１  外側構成体
１ａ  小物入れバッグ
２  ベルト
２ａ  伸縮調節手段
３  係止具
３ａ  雄係止具
３ｂ  雌係止具
４  ジッパー
５  固着帯片
６  第１連結帯部
６ａ  所定固着個所
７  パッド
８  腰当部
９  ポケット
１０  第２連結帯部
１０ａ  基端部
１０ｂ  延長端
１１  係着コード
１２  コードストッパー
１３  弾性伸縮体
【図１】
2014090950.tif 000003
【図２】
2014090950.tif 000004
【図３】
2014090950.tif 000005